(57)【要約】【課題】配線ユニットケーブル用ジョイントボックスに複数の配線ユニットケーブルの結線部をより容易に収納することができるようにするための配線ユニットケーブル配列治具を提供する。【解決手段】基部４と、複数の配線ユニットケーブル２の結線部３が当接可能となる当接壁部５と、配線ユニットケーブル２が差し抜き自在となるケーブル配列用の櫛歯状の配列壁部６とを備える。また、当接壁部５及び配列壁部６の間に結線部３が収納される収納スペース１５を形成し、且つその収納スペース１５の反対側となる配列壁部６のケーブル引き出し側には、配線ユニットケーブル用ジョイントボックスのスライドホルダーが当接可能となるホルダー当接部分１３を形成する。【選択図】　　図１
2004147370.tif 000002
【特許請求の範囲】
【請求項１】
基部と、該基部に設けられ、複数の配線ユニットケーブルの結線部が当接可能となる当接壁部と、前記基部に設けられ、前記配線ユニットケーブルが差し抜き自在となるケーブル配列用の櫛歯状の配列壁部とを備えるとともに、
前記当接壁部及び前記配列壁部の間には、前記結線部が収納される収納スペースを形成し、
且つ該収納スペースの反対側となる前記配列壁部のケーブル引き出し側には、配線ユニットケーブル用ジョイントボックスのスライドホルダーが当接可能となるホルダー当接部分を形成した
ことを特徴とする配線ユニットケーブル配列治具。
【請求項２】
請求項１に記載の配線ユニットケーブル配列治具において、
前記配列壁部に、前記配線ユニットケーブルが圧入状態となる保持突起を形成した
ことを特徴とする配線ユニットケーブル配列治具。
【請求項３】
請求項１又は請求項２に記載の配線ユニットケーブル配列治具において、
前記当接壁部に、前記収納スペース側にのびて該収納スペースからの前記結線部の脱落が阻止されるフード部を連成した
ことを特徴とする配線ユニットケーブル配列治具。
【発明の詳細な説明】
【０００１　】
【発明の属する技術分野】
本発明は、配線ユニットケーブル用ジョイントボックスに複数の配線ユニットケーブルの結線部を収納する際に用いられる配線ユニットケーブル配列治具に関する。
【０００２　】
【従来の技術】
近年、玄関や居間や寝室などの各部屋別にユニット化した部屋ユニットを住宅メーカーの工場で製造し、それらを施工現場で施主の希望や敷地形状に応じて組み付けることにより、一つの家屋が出来上がるようなプレハブ住宅工法が知られている。プレハブ住宅工法においては、各部屋ユニット別の配線も予め工場内で行われるようになっており、その配線によって屋内配線作業の簡素化を達成することができるようになっている。屋内配線作業の簡素化を達成するためには、ジョイントボックスが用いられている。
【０００３　】
従来のジョイントボックスとしては、その内部に絶縁性の熱硬化樹脂（エポキシ樹脂等）を充填・モールドして、分岐接続した屋内配線ユニットケーブルの結線部を固定及び保護するような構造のものになっている（例えば特許文献１参照）。尚、上記屋内配線ユニットケーブルは、用途に応じて二芯ケーブル、三芯ケーブル等のものが使用されている。
【０００４　】
ところで、上記従来のジョイントボックスにあっては、熱硬化樹脂の硬化時間が必然的に発生して生産能力を向上させることができないという問題点を有している。また、ジョイントボックスの製品完成後にケーブル結線の誤配線が発覚しても、結線部が樹脂モールドされているために修復が不可能であり、ジョイントボックスを廃棄して新たに製造し直すしかないという問題点を有している。さらに、ジョイントボックスの内部全体が樹脂モールドされているために重量が重くなり、取り扱い性に影響を来しているという問題点を有している。
【０００５　】
そこで本願出願人は、上記各種の問題点を解消すべく特願２００２−１９８９８７（平成１４年７月８日出願）において配線ユニットケーブル用ジョイントボックスを提案している。その配線ユニットケーブル用ジョイントボックスには、仮係止状態で配線ユニットケーブルの差し込み収納を可能とし、且つ、本係止状態で配線ユニットケーブルに強制的な曲げを生じさせるケーブル固定用のスペーサ（スライドホルダー）がスライド自在に設けられている。
【０００６　】
上記配線ユニットケーブル用ジョイントボックスは、複数の配線ユニットケーブルの結線部を収納する際に、その配線ユニットケーブルをスペーサ（スライドホルダー）に差し込みする必要がある構造になっている。
【０００７　】
【特許文献１】
登録実用新案第３００５９１２号公報　（第２頁、第１図）
【０００８　】
【発明が解決しようとする課題】
本発明は、本願出願人が先に提案したものも含めて、配線ユニットケーブル用ジョイントボックスに複数の配線ユニットケーブルの結線部をより容易に収納することができるようにするための配線ユニットケーブル配列治具を提供することを課題とする。
【０００９　】
【課題を解決するための手段】
上記課題を解決するためなされた請求項１記載の本発明の配線ユニットケーブル配列治具は、基部と、該基部に設けられ、複数の配線ユニットケーブルの結線部が当接可能となる当接壁部と、前記基部に設けられ、前記配線ユニットケーブルが差し抜き自在となるケーブル配列用の櫛歯状の配列壁部とを備えるとともに、前記当接壁部及び前記配列壁部の間には、前記結線部が収納される収納スペースを形成し、且つ該収納スペースの反対側となる前記配列壁部のケーブル引き出し側には、配線ユニットケーブル用ジョイントボックスのスライドホルダーが当接可能となるホルダー当接部分を形成したことを特徴としている。
【００１０　】
請求項２記載の本発明の配線ユニットケーブル配列治具は、請求項１に記載の配線ユニットケーブル配列治具において、前記配列壁部に、前記配線ユニットケーブルが圧入状態となる保持突起を形成したことを特徴としている。
【００１１　】
請求項３記載の本発明の配線ユニットケーブル配列治具は、請求項１又は請求項２に記載の配線ユニットケーブル配列治具において、前記当接壁部に、前記収納スペース側にのびて該収納スペースからの前記結線部の脱落が阻止されるフード部を連成したことを特徴としている。
【００１２　】
請求項１に記載された本発明によれば、本発明の配線ユニットケーブル配列治具が用いられて、複数の配線ユニットケーブルの結線部が当接壁部に当接すると、その結線部が当接壁部によって揃えられた状態で収納スペースに収納される。また、複数の配線ユニットケーブルが櫛歯状の配列壁部に各々差し込まれると、その配列壁部によって所定の配列がなされる。そして、このような状態において、配列がなされた複数の配線ユニットケーブルを本発明の配線ユニットケーブル配列治具から取り出し配線ユニットケーブル用ジョイントボックスへ収納すれば、複数の配線ユニットケーブルを単に一つ一つ手で収納するよりも容易に、また、確実に配線ユニットケーブル用ジョイントボックスへ収納することができるようになる。
【００１３　】
請求項２に記載された本発明によれば、配列壁部に保持突起が形成される。その保持突起によって配列壁部に差し込まれた配線ユニットケーブルは圧入状態となり、配線ユニットケーブル用ジョイントボックスへの収納までの間、配線ユニットケーブルのずれが規制される。
【００１４　】
請求項３に記載された本発明によれば、当接壁部にフード部が連成される。これにより、配線ユニットケーブルの結線部が何らかの要因で移動しようとしてもフード部に引っ掛かり、配線ユニットケーブル用ジョイントボックスへの収納までの間、収納スペースからの結線部の脱落が阻止される。
【００１５　】
【発明の実施の形態】
以下、図面を参照して本発明の実施の形態を説明する。
図１は本発明の配線ユニットケーブル配列治具の一実施の形態を示す斜視図である。また、図２は配線ユニットケーブル配列治具単体の斜視図、図３は保持突起の平面図である。
【００１６　】
図１及び図２において、引用符号１は後述する配線ユニットケーブル用ジョイントボックス２１（図４参照）に対して複数の配線ユニットケーブル２の各結線部３を収納する際に用いられる配線ユニットケーブル配列治具を示している。その配線ユニットケーブル配列治具１は、合成樹脂製であって、基部４と、基部４に対して立設される当接壁部５及び配列壁部６とを備えて構成されている。
【００１７　】
上記基部４は、平坦な表裏面を有する平面視矩形状、且つ板状の底壁であって、配線ユニットケーブル２の長手方向に沿うサイズＳ１が配線ユニットケーブル用ジョイントボックス２１（図４参照）の取り付け部２８及びスライドホルダー２３、２３間のサイズＳ２と同じになるように形成されている。また、上記長手方向に直交する方向のサイズＳ３が配線ユニットケーブル用ジョイントボックス２１（図４参照）の側壁２６、２６間のサイズＳ４と同じになるように形成されている。
【００１８　】
上記当接壁部５は、基部４に対して直交するような突出壁であって、基部４における上記長手方向の一端に連成されている。このような当接壁部５の内側には、平坦な当接面７が形成されている。また、当接壁部５の側方の両端部には、フード部８、８が相対向するようにそれぞれ連成されている。
【００１９　】
当接面７は、複数の配線ユニットケーブル２における各結線部３の電線コネクタ９が当接して、その各結線部３の電線コネクタ９を揃えることができるようになっている。また、フード部８、８は、各結線部３の電線コネクタ９が何らかの要因で移動しようとしても、そのフード部８、８に引っ掛けて、配線ユニットケーブル用ジョイントボックス２１（図４参照）への収納までの間の脱落を阻止することができるようになっている。当接壁部５及びフード部８、８の高さは、各結線部３の電線コネクタ９の大きさに応じて適宜高さに設定されている。
【００２０　】
引用符号１０は配線ユニットケーブル２を構成する複数の絶縁線心を示している。本形態においては、絶縁性を有する電線コネクタ９を用い、複数の絶縁線心１０の端末を所定の経路同士となるように結線して各結線部３が形成されている。尚、電線コネクタ９に替えて、絶縁線心１０の端末を圧着する導電性の圧着スリーブと、その圧着スリーブを覆う絶縁性の絶縁チューブとを用いて結線部を形成してもよいものとする。
【００２１　】
上記配列壁部６は、基部４に対して直交するような櫛歯状の突出壁であって、基部４における上記長手方向の他端に連成されている。また、配列壁部６は、複数の配線ユニットケーブル２を所定の位置に配列するための部分として形成されている。
【００２２　】
配列壁部６は、本形態において、複数の隔壁１１及び中間壁１２を有するように形成されている。また、配列壁部６は、配線ユニットケーブル用ジョイントボックス２１（図４参照）のスライドホルダー２３、２３が当接するホルダー当接部分１３を有するように形成されている。ホルダー当接部分１３は、後述する収納スペース１５の反対側となるケーブル引き出し側に形成されている。ホルダー当接部分１３は、平坦な面となるように形成されている。
【００２３　】
複数の隔壁１１は、各々、相対向するように配置形成されている。また、配線ユニットケーブル２の差し抜きが自在となるように隔壁１１同士の間、及び隔壁１１と中間壁１２との間が適宜間隔を有して形成されている。さらに、複数の隔壁１１及び中間壁１２が配線ユニットケーブル用ジョイントボックス２１（図４参照）のスライドホルダー２３、２３の形状に合わせて形成されている。
【００２４　】
複数の隔壁１１及び中間壁１２で形成されるスロット深さは、本形態において、配線ユニットケーブル２を二本重ねて差し込んでも脱落しないような深さに設定されている。
【００２５　】
複数の隔壁１１及び中間壁１２には、配線ユニットケーブル２の差し込みの際に、その配線ユニットケーブル２を圧入状態にする保持突起１４、１４が形成されている（図２及び図３参照）。保持突起１４、１４は、配線ユニットケーブル２の上記長手方向の不用意なずれを規制するために形成されている（突起形状及び数は任意であるものとする）。
【００２６　】
上記基部４の表面上であって上記当接壁部５と上記配列壁部６との間には、収納スペース１５が形成されている。その収納スペース１５には、複数の配線ユニットケーブル２の各結線部３が収納されるようになっている。このような収納スペース１５の側方には、フード部８、８及び配列壁部６に連続する側壁１６、１６が形成されている。側壁１６、１６は、配列された複数の配線ユニットケーブル２の取り外し性を考慮して、フード部８、８及び配列壁部６よりもその高さが低くなるように形成されている（側壁１６、１６の形成は任意であるものとする）。
【００２７　】
上記構成において、複数の配線ユニットケーブル２における各結線部３の電線コネクタ９を当接壁部５の当接面７に当接させると、その各結線部３の電線コネクタ９が当接壁部５によって揃えられた状態で収納スペース１５に収納される。また、複数の配線ユニットケーブル２を櫛歯状の配列壁部６に各々差し込むと、その配列壁部６によって配線ユニットケーブル２の所定の配列が完了する。
【００２８　】
次に、上記配線ユニットケーブル配列治具１によって配列された複数の配線ユニットケーブル２が取り出されて収納される配線ユニットケーブル用ジョイントボックス２１を図４ないし図９までを参照しながら説明する。
【００２９　】
図４は配線ユニットケーブル用ジョイントボックスの分解斜視図、図５は配線ユニットケーブルを配線ユニットケーブル配列治具から取り出す直前の状態を示す配線ユニットケーブル配列治具１の斜視図、図６は仮係止状態を示す配線ユニットケーブル用ジョイントボックスの平面図、図７は仮係止状態を示す正面図、図８は本係止状態を示す平面図、図９は本係止状態を示す正面図である。尚、配線ユニットケーブル用ジョイントボックス２１の構成及び構造は一例であるものとする。
【００３０　】
図４において、配線ユニットケーブル用ジョイントボックス２１は、複数の結線部３（図５参照）を収納するための合成樹脂製のジョイントボックス本体２２と、そのジョイントボックス本体２２に対してスライド自在に設けられる合成樹脂製の一対のスライドホルダー２３、２３と、ジョイントボックス本体２２に対して着脱自在に係合する合成樹脂製のジョイントボックスカバー２４とを備えて構成されている。以下、上記各構成について説明する。
【００３１　】
上記ジョイントボックス本体２２は、図４及び図６に示される如く、複数の配線ユニットケーブル２が差し込まれる方向の面と、複数の配線ユニットケーブル２が引き出される方向の面とが開放された略箱状の部材であって、基板２５と、側壁２６、２６と、複数のスリット２７と、取り付け部２８とを有している。
【００３２　】
基板２５は、平坦な表裏面を有する平面視矩形の板状の部分であって、その基板２５の上縁には、取り付け部２８が連成されている。取り付け部２８には、壁や柱等に配線ユニットケーブル用ジョイントボックス２１を取り付けするための貫通孔２９が形成されている。一方、基板２５の下縁近傍には、一対のスライドホルダー２３、２３をスライドさせるためのスライド溝３０が形成されている。スライド溝３０は、側壁２６、２６の後述するスライド部分３１、３１間に形成されている。
【００３３　】
側壁２６、２６は、基板２５の両側縁から突出するようにその基板２５に形成されている。また、側壁２６、２６は、適宜高さを有して基板２５に一体に形成されている。そして、このような側壁２６、２６には、一対のスライドホルダー２３、２３をスライドさせるためのスライド部分３１、３１が形成されている。また、ジョイントボックスカバー２４を係合させるための爪状に突出する複数の係止突起３２と、凹状の複数のロック部３３とが形成されている。
【００３４　】
スライド部分３１、３１は、一対のスライドホルダー２３、２３が差し入れられる部分として形成されている。また、スライド部分３１、３１は、スライド溝３０に連続するように形成されている。このようなスライド部分３１、３１には、一対の係止部３４、３４がそれぞれの側壁２６に対して形成されている。
【００３５　】
複数のスリット２７は、ジョイントボックス本体２２の中間に形成されている。また、複数のスリット２７は、基板２５から櫛歯状の板片を立設させてその板片の間に形成されている。さらに、複数のスリット２７は、一対のケーブル群３５、３５に適宜間隔を持たせるように形成されている。このような複数のスリット２７の各々には、対応する配線ユニットケーブル２が差し込まれるようになっている。
【００３６　】
上記一対のスライドホルダー２３、２３は、各々対応するスライド部分３１、３１に差し込まれて側壁２６、２６間の方向を、すなわちスライド溝３０をスライドするように形成されている。また、一対のスライドホルダー２３、２３は、基部３６、３６と複数のスリット３７、３７とを有している（本形態において、複数のスリット３７、３７は上下二段に形成されているが、これに限定されるものではないものとする）。さらに、一対のスライドホルダー２３、２３は、二つ並べた状態で側壁２６、２６間の長さと同じ長さになるように形成されている。基部３６、３６の前後両面には、各々、一対の係止部３４、３４に係合する複数の係止突起が３８が形成されている。
【００３７　】
複数のスリット３７、３７は、櫛歯状の板片を立設させてその板片の間に形成されている。複数のスリット３７、３７の各々には、対応する配線ユニットケーブル２が差し込まれるようになっている。
【００３８　】
上記ジョイントボックスカバー２４は、図４に示される如く、基板３９と、側壁４０、４０と、取り付け部４１とを有している。基板３９は、平坦な表裏面を有する平面視略矩形の板状の部分であって、その基板３９の上縁には、取り付け部４１が連成されている。取り付け部４１には、壁や柱等に配線ユニットケーブル用ジョイントボックス２１を取り付けするための貫通孔４２が形成されている。一方、基板３９の裏面であって下縁近傍には、一対のスライドホルダー２３、２３をスライドさせるためのスライド溝（不図示）が形成されている。スライド溝（不図示）は、ジョイントボックス本体２２のスライド溝３０に対向するように形成されている。
【００３９　】
側壁４０、４０は、基板３９の裏面であって両側縁から突出するようにその基板３９に形成されている。また、側壁４０、４０は、適宜高さを有して基板３９に一体に形成されている。そして、このような側壁４０、４０には、一対のスライドホルダー２３、２３をスライドさせるためのスライド部分４３、４３が形成されている。また、ジョイントボックス本体２２に対して着脱自在に係合するための爪状に突出する複数の係止突起４４と、凹状の複数のロック部（不図示）とが形成されている。
【００４０　】
スライド部分４３、４３は、一対のスライドホルダー２３、２３が差し入れられる部分として形成されている。また、スライド部分４３、４３は、スライド溝（不図示）に連続するように形成されている。このようなスライド部分４３、４３には、一対の係止部４５、４５（一方のみ図示）がそれぞれの側壁４０に対して形成されている。
【００４１　】
尚、ジョイントボックスカバー２４は、ジョイントボックス本体２２に対して一体又は別体状態で係合するようになっている（本形態では別体）。
【００４２　】
次に、上記構成に基づきながら配線ユニットケーブル用ジョイントボックス２１の組み付けに係る作業を説明する。
【００４３　】
先ず、図５に示される如く、配線ユニットケーブル配列治具１によって配列された複数の配線ユニットケーブル２に一対のスライドホルダー２３、２３を取り付けて、その一対のスライドホルダー２３、２３を配列壁部６のホルダー当接部分１３に当接するまでスライドさせる作業を行う。
【００４４　】
次に、一対のスライドホルダー２３、２３が取り付けられた複数の配線ユニットケーブル２をそのままの状態で配線ユニットケーブル配列治具１から取り出して配線ユニットケーブル用ジョイントボックス２１へ収納する作業を行う。
【００４５　】
この時、図６及び図７に示される如く、一対のスライドホルダー２３、２３がジョイントボックス本体２２のスライド溝３０にスライド自在に装着される（一対のスライドホルダー２３、２３のスリット３７、３７がジョイントボックス本体２２のスリット２７の位置に合うように装着される。スライドホルダー２３、２３は仮係止状態になる）。また、各結線部３の電線コネクタ９がジョイントボックス本体２２の所定位置に配置される。さらに、各配線ユニットケーブル２がジョイントボックス本体２２の対応するスリット２７に差し込まれる。尚、配線ユニットケーブル２の複数は、適宜間隔を有して一対のケーブル群３５、３５に分けられる。
【００４６　】
続いて、ジョイントボックス本体２２内への各配線ユニットケーブル２の収納作業が完了すると、図８及び図９に示される如く、一対のスライドホルダー２３、２３を互いに近接させる方向にスライドさせて一対のスライドホルダー２３、２３をジョイントボックス本体２２に対し係止（本係止）状態にする作業を行う。
【００４７　】
この時、一対のスライドホルダー２３、２３は、基部３６、３６の前後両面の各係止突起３８がスライド部分３１、３１の係止部３４、３４に係合して係止状態が維持される。また、一対のスライドホルダー２３、２３がジョイントボックス本体２２に対して係止状態になると、一対のケーブル群３５、３５、すなわち配線ユニットケーブル２に強制的な曲げが生じ、配線ユニットケーブル２が一対のスライドホルダー２３、２３及びジョイントボックス本体２２に固定される（配線ユニットケーブル２に強制的な曲げが生じると、その配線ユニットケーブル２のシース４６の摩擦及び絶縁線心１０の剛性によって、配線ユニットケーブル２の複数が一対のスライドホルダー２３、２３及びジョイントボックス本体２２から滑らなくなり固定される）。
【００４８　】
続いて更に、このような状態から、ジョイントボックスカバー２４（図４参照）をジョイントボックス本体２２に対して係合させる作業を行う。ジョイントボックス本体２２の開放された部分は、ジョイントボックスカバー２４によって蓋がされたような状態になり、一連の組み付けに係る作業が完了する。
【００４９　】
以上、図１ないし図９までを参照しながら説明してきたように、本発明の配線ユニットケーブル配列治具１を用いることにより、複数の配線ユニットケーブル２の各結線部３をより容易に配線ユニットケーブル用ジョイントボックス２１に収納することができる。
【００５０　】
その他、本発明は本発明の主旨を変えない範囲で種々変更実施可能なことは勿論である。
【００５１　】
【発明の効果】
以上説明したように、請求項１に記載された本発明によれば、本発明の配線ユニットケーブル配列治具を用いることにより、複数の配線ユニットケーブルの結線部をより容易に配線ユニットケーブル用ジョイントボックスに収納することができるという効果を奏する。
【００５２　】
請求項２に記載された本発明によれば、配列壁部に形成した保持突起によって、配線ユニットケーブル用ジョイントボックスへの収納までの間、配線ユニットケーブルのずれを規制することができるという効果を奏する。
【００５３　】
請求項３に記載された本発明によれば、当接壁部に連成したフード部によって、配線ユニットケーブル用ジョイントボックスへの収納までの間、収納スペースからの結線部の脱落を阻止することができるという効果を奏する。
【図面の簡単な説明】
【図１】本発明による配線ユニットケーブル配列治具の一実施の形態を示す斜視図である。
【図２】配線ユニットケーブル配列治具単体の斜視図である。
【図３】保持突起の平面図である。
【図４】配線ユニットケーブル用ジョイントボックスの分解斜視図である。
【図５】配線ユニットケーブルを配線ユニットケーブル配列治具から取り出す直前の状態を示す斜視図である。
【図６】仮係止状態を示す配線ユニットケーブル用ジョイントボックスの平面図である。
【図７】仮係止状態を示す配線ユニットケーブル用ジョイントボックスの正面図である。
【図８】本係止状態を示す配線ユニットケーブル用ジョイントボックスの平面図である。
【図９】本係止状態を示す配線ユニットケーブル用ジョイントボックスの正面図である。
【符号の説明】
１　配線ユニットケーブル配列治具
２　配線ユニットケーブル
３　結線部
４　基部
５　当接壁部
６　配列壁部
７　当接面
８　フード部
９　電線コネクタ
１０　絶縁線心
１１　隔壁
１２　中間壁
１３　ホルダー当接部分
１４　保持突起
１５　収納スペース
１６　側壁
２１　配線ユニットケーブル用ジョイントボックス
２３　スライドホルダー
【図１】
2004147370.tif 000003
【図２】
2004147370.tif 000004
【図３】
2004147370.tif 000005
【図４】
2004147370.tif 000006
【図５】
2004147370.tif 000007
【図６】
2004147370.tif 000008
【図７】
2004147370.tif 000009
【図８】
2004147370.tif 000010
【図９】
2004147370.tif 000011